(57)【要約】    【課題】  上澄水を十分に効率良く得ることができる固液分離装置を提供することにある。    【解決手段】  汚泥が含有されてなる原水から、重力沈降により、汚泥の含有率が前記原水よりも少ない上澄水と汚泥の含有率が前記原水よりも多い汚泥濃縮水とを生成する固液分離領域を有する固液分離槽が備えられ、該固液分離槽の液面下には、前記固液分離領域に原水を分配供給するディストリビューターが設けられ、該ディストリビューターの上部には、供給された原水を該ディストリビューターに移送する移送槽が設けられ、該移送槽内に供給された原水が該移送槽内を流下しながら移送されるように構成されてなる固液分離装置であって、原水が遠心力および重力の少なくとも一方により前記移送槽の内周面に押しつけられながら該移送槽内を流下するように構成されてなることを特徴とする固液分離装置を提供する。【選択図】  図１
2011020015.tif 000002
【特許請求の範囲】
【請求項１】
汚泥が含有されてなる原水から、重力沈降により、汚泥の含有率が前記原水よりも少ない上澄水と汚泥の含有率が前記原水よりも多い汚泥濃縮水とを生成する固液分離領域を有する固液分離槽が備えられ、該固液分離槽の液面下には、前記固液分離領域に原水を分配供給するディストリビューターが設けられ、該ディストリビューターの上部には、供給された原水を該ディストリビューターに移送する移送槽が設けられ、該移送槽内に供給された原水が該移送槽内を流下しながら移送されるように構成されてなる固液分離装置であって、
原水が遠心力および重力の少なくとも一方により前記移送槽の内周面に押しつけられながら該移送槽内を流下するように構成されてなることを特徴とする固液分離装置。
【請求項２】
前記移送槽の内周面に沿って、原水が旋回されながら前記移送槽内を流下するように構成されてなる請求項１記載の固液分離装置。
【請求項３】
前記移送槽の内周面は、水平面に対して傾斜している傾斜面を有してなり、原水が重力により前記傾斜面に押しつけられながら前記移送槽内を流下するように構成されてなる請求項１又は２記載の固液分離装置。
【請求項４】
請求項１〜３の何れかに記載の固液分離装置を用いて、汚泥が含有されてなる原水を固液分離する固液分離方法。
【発明の詳細な説明】
【技術分野】
【０００１】
本発明は、固液分離装置および固液分離方法に関し、詳しくは、汚泥が含有されてなる原水を重力沈降により固液分離する固液分離槽を備えてなる固液分離装置、および該固液分離装置を用いて原水を固液分離する固液分離方法に関する。
【背景技術】
【０００２】
従来より、この種の固液分離装置は、固液分離槽の固液分離領域内で、原水を、汚泥の含有率が前記原水よりも少ない上澄水を有する上澄層と、汚泥の含有率が前記原水よりも多い汚泥濃縮水を有する濃縮層とに固液分離して、上澄水たる浄化水を得るのに用いられている。
【０００３】
しかるに、斯かる固液分離装置は、上澄層と濃縮層とが形成された状態に於いて、新たに原水が固液分離領域内に供給されると、この新たに供給された原水によって上澄層と濃縮層との間の界面が乱れてしまうことから、原水を供給しながら十分に固液分離することができず、上澄水を効率良く得ることができないという問題を有している。
【０００４】
斯かる観点から、図４に示すように、固液分離領域１０１ａに原水Ａを分配供給するディストリビューター１０２が固液分離槽１０１の液面下に設けられてなる固液分離装置１００が開示されている（例えば、特許文献１，２）。
【０００５】
斯かる固液分離装置１００は、上澄層１１０と濃縮層１１１とが固液分離領域１０１ａ内で形成された状態に於いて、新たに原水Ａが固液分離領域１０１ａ内に供給されても、原水Ａが固液分離領域１０１ａ内に分散供給されることにより、上澄層１１０と濃縮層１１１との間の界面が乱れ難くなることから、原水Ａを供給しながら十分に固液分離することができるため、上澄水Ｂを比較的効率良く得ることができる。
【先行技術文献】
【特許文献】
【０００６】
【特許文献１】特開２００２−３６１００３号公報
【特許文献２】特開平７−８０２１１号公報
【発明の概要】
【発明が解決しようとする課題】
【０００７】
ところで、斯かる固液分離装置１００は、前記固液分離槽１０１及び前記ディストリビューター１０２が備えられてなる他に、該ディストリビューター１０２の上部には、供給された原水Ａを該ディストリビューター１０２に移送する移送槽１０３が設けられ、該移送槽１０３内に供給された原水Ａが該移送槽１０３内を流下しながら移送されるように構成されてなる。
【０００８】
しかしながら、斯かる固液分離装置１００では、原水Ａが該移送槽１０３内に供給される際に、原水Ａが空気を巻き込んでしまい、この巻き込まれた空気の浮力によって原水Ａが該移送槽１０３内を流下するのを阻害してしまう虞がある。そして、その結果、移送槽１０３からディストリビューター１０２に原水Ａが移送され難くなり、ディストリビューター１０２から固液分離領域１０１ａに原水Ａが供給され難くなってしまい、上澄水Ｂを十分に効率良く得ることができないという問題がある。
【０００９】
本発明は、上記問題点に鑑み、上澄水を十分に効率良く得ることができる固液分離装置および固液分離方法を提供することを課題とする。
【課題を解決するための手段】
【００１０】
本発明は、汚泥が含有されてなる原水から、重力沈降により、汚泥の含有率が前記原水よりも少ない上澄水と汚泥の含有率が前記原水よりも多い汚泥濃縮水とを生成する固液分離領域を有する固液分離槽が備えられ、該固液分離槽の液面下には、前記固液分離領域に原水を分配供給するディストリビューターが設けられ、該ディストリビューターの上部には、供給された原水を該ディストリビューターに移送する移送槽が設けられ、該移送槽内に供給された原水が該移送槽内を流下しながら移送されるように構成されてなる固液分離装置であって、
原水が遠心力および重力の少なくとも一方により前記移送槽の内周面に押しつけられながら該移送槽内を流下するように構成されてなることを特徴とする固液分離装置にある。
【００１１】
また、本発明に係る固液分離装置においては、好ましくは、前記移送槽の内周面に沿って、原水が旋回されながら前記移送槽内を流下するように構成されてなる。
【００１２】
さらに、本発明に係る固液分離装置においては、好ましくは、前記移送槽の内周面は、水平面に対して傾斜している傾斜面を有してなり、原水が重力により前記傾斜面に押しつけられながら前記移送槽内を流下するように構成されてなる。
【００１３】
また、本発明は、前記固液分離装置を用いて、汚泥が含有されてなる原水を固液分離する固液分離方法にある。
【００１４】
これらの固液分離装置及び固液分離方法に於いては、原水が遠心力および重力の少なくとも一方により前記移送槽の内周面に押しつけられながら該移送槽内を流下するように構成されてなることにより、原水が移送槽内を流下する際に、原水が移送槽の一部分（例えば軸方向の領域（例えば、中心軸等）等）を通過し難くなり、該部分に空気が抜ける抜け道が生じやすくなる。よって、空気が原水に巻き込まれてもこの抜け道により原水から分離されやすくなり、原水に掛かる空気の浮力が抑制され、原水が移送槽内を流下しやすくなり、移送槽からディストリビューターに原水が移送されやすくなる。従って、ディストリビューターから固液分離領域に原水が供給されやすくなり、上澄水を十分に効率良く得ることができる。
【発明の効果】
【００１５】
以上のように、本発明によれば、上澄水を十分に効率良く得ることができる。
【図面の簡単な説明】
【００１６】
【図１】一実施形態に係る固液分離装置の概略図。
【図２】一実施形態に係る固液分離装置の概略図。
【図３】一実施形態に係る固液分離装置の概略図。
【図４】従来の固液分離装置の概略図。
【発明を実施するための形態】
【００１７】
以下、添付図面を参照しつつ、本発明の一実施形態について説明する。
【００１８】
図１に示すように、本実施形態の固液分離装置１は、汚泥が含有されてなる原水Ａから、重力沈降により、汚泥の含有率が前記原水Ａよりも少ない上澄水Ｂと汚泥の含有率が前記原水Ａよりも多い汚泥濃縮水Ｃとを生成する固液分離領域２ａを有する固液分離槽２が備えられ、該固液分離槽２の液面下には、前記固液分離領域２ａに原水Ａを分配供給するディストリビューター３が設けられ、該ディストリビューター３の上部には、供給された原水Ａを該ディストリビューター３に移送する移送槽４が設けられ、該移送槽４内に供給された原水Ａが該移送槽４内を流下しながら移送されるように構成されてなる。
【００１９】
前記固液分離槽２は、底部２ｂに汚泥濃縮水Ｃを排出する汚泥濃縮水排出口２ｃを有してなる。該底部２ｂは、必要に応じて、前記汚泥濃縮水排出口２ｃに向けて傾斜するように、下方に向けて先細りとなるテーパー状に形成されてもよい。
【００２０】
前記ディストリビューター３は、鉛直下向きの開口部３ａを備え、該開口部３ａから原水Ａが固液分離領域２ａ内に供給されるように構成されてなる。
【００２１】
前記移送槽４は、水平断面が円形状に形成されてなる。具体的には、前記移送槽４は、下方に向けて先細りとなるテーパー状に形成されてなる。
尚、前記ディストリビューター３及び移送槽４は、固液分離槽２の上部に設けられたモーター（図示せず）によって、回転するように構成されてなる。また、固液分離槽２の底部２ｂ内には、レーキアーム（図示せず）を備え且つ該レーキアーム（図示せず）を回転させることにより該固液分離槽２の底部２ｂ内の汚泥を掻き寄せる汚泥掻き寄せ機（図示せず）が設けられてなる。該レーキアーム（図示せず）は、前記ディストリビューター３及び移送槽４とともに、前記モーター（図示せず）により回転するように構成されてなる。
【００２２】
また、本実施形態の固液分離装置１は、原水Ａが移送槽４に供給され、固液分離領域２ａで生成された上澄水Ｂが上澄水貯留槽（図示せず）に移送され、固液分離領域２ａで生成された汚泥濃縮水Ｃが汚泥濃縮水貯留槽（図示せず）に移送されるように構成されてなる。
具体的には、本実施形態の固液分離装置１は、原水Ａを移送槽４内に供給する原水供給経路５ａと、固液分離領域２ａで生成された上澄水Ｂを上澄水貯留槽（図示せず）に移送する上澄水移送経路５ｂと、固液分離領域２ａで生成された汚泥濃縮水Ｃを汚泥濃縮水貯留槽（図示せず）に移送する汚泥濃縮水移送経路５ｃとを備えてなる。
【００２３】
さらに、本実施形態の固液分離装置１は、原水Ａが遠心力により前記移送槽４の内周面に押しつけられながら該移送槽４内を流下するように構成されてなる。
具体的には、本実施形態の固液分離装置１は、前記移送槽４の内周面に沿って、原水Ａが旋回されながら前記移送槽４内を流下するように構成されてなる。
【００２４】
また、本実施形態の固液分離装置１は、原水Ａが重力により前記移送槽４の内周面に押しつけられながら該移送槽４内を流下するように構成されてなる。
具体的には、本実施形態の固液分離装置１は、前記移送槽４の内周面が、水平面に対して傾斜している傾斜面を有してなり、該傾斜面を原水Ａが流下されることにより、原水Ａが重力により前記移送槽４の内周面に押しつけられながら該移送槽４内を流下するように構成されてなる。
【００２５】
前記原水Ａとしては、汚泥を有するものであれば、特に限定されるものではないが、例えば、工場（鉄鋼、食品、電力、電子、医薬、自動車等の工場）の廃水、生活廃水、ゴミ浸出水等の廃水等が挙げられる。また、下水や各種工場廃水等を生物処理して生じた汚泥含有水等も挙げられる。
前記生物処理としては、具体的には、活性汚泥処理等を挙げることができる。該活性汚泥処理は、細菌、原生動物、後生動物等の生物種を有する活性汚泥と、有機物を含む廃水とを曝気しながら混合して、該有機物を前記生物種で分解する処理である。
【００２６】
本実施形態の固液分離装置は、上記の如く構成されてなるが、次ぎに、本実施形態の固液分離方法について説明する。
【００２７】
本実施形態の固液分離方法では、本実施形態の固液分離装置を用いて、汚泥が含有されてなる原水を固液分離する。
具体的には、本実施形態の固液分離方法では、凝集剤が添加された原水Ａを、移送槽４の内周面に沿って旋回しながら移送槽４内に流下させるように原水供給経路５ａを介して供給することによって、原水Ａを、遠心力および重力の少なくとも一方により前記移送槽４の内周面に押しつけられながら該移送槽４内を流下し、ディストリビューター３に移送する。そして、ディストリビューター３の開口部３ａから固液分離槽２の固液分離領域２ａに該移送された原水Ａを分散供給し、該分散供給された原水Ａから、上澄水Ｂ及び汚泥濃縮水Ｃを生成する。そして、上澄水移送経路５ｂを介して該生成された上澄み水Ｂを上澄水貯留槽（図示せず）に移送し、汚泥濃縮水移送経路５ｃを介して該生成された汚泥濃縮水Ｃを汚泥濃縮水貯留槽（図示せず）に移送する。
【００２８】
尚、本実施形態の固液分離装置および固液分離方法は、上記構成を有するものであったが、本発明の固液分離装置および固液分離方法は、上記構成に限定されず、適宜設計変更可能である。
【００２９】
即ち、本実施形態の固液分離装置１は、原水Ａが遠心力および重力により前記移送槽４の内周面に押しつけられながら該移送槽４内を流下するように構成されてなるが、原水Ａが遠心力のみにより前記移送槽４の内周面に押しつけられながら該移送槽４内を流下するように構成されてもよい。
具体的には、本実施形態の固液分離装置１は、前記移送槽４が、下方に向けて先細りとなるテーパー状に形成されてなるが、図２に示すように、原水Ａが遠心力により前記移送槽４の内周面に押しつけられながら該移送槽４内を流下するように構成されていれば、前記移送槽４の内周面が円柱状に形成されてもよい。
【００３０】
また、本実施形態の固液分離装置１は、原水Ａが重力のみにより前記移送槽４の内周面に押しつけられながら該移送槽４内を流下するように構成されてもよい。
具体的には、本実施形態の固液分離装置１は、移送槽４の内周面に沿って、原水Ａが旋回されながら移送槽４内を流下するように構成されてなるが、図３に示すように、原水Ａが、旋回されずに、重力により移送槽４の傾斜面に押しつけられながら該移送槽４内を流下するように構成されてもよい。
【符号の説明】
【００３１】
１：固液分離装置、２：固液分離槽、２ａ：固液分離領域、２ｂ：底部、２ｃ：汚泥濃縮水排出口、３：ディストリビューター、３ａ：開口部、４：移送槽、５ａ：原水供給経路、５ｂ：上澄水移送経路、５ｃ：汚泥濃縮水移送経路、１００：固液分離装置、１０１：固液分離槽、１０１ａ：固液分離領域、１０２：ディストリビューター、１０３：移送槽、１１０：上澄層、１１１：濃縮層、Ａ：原水、Ｂ：上澄水、Ｃ：汚泥濃縮水
【図１】
2011020015.tif 000003
【図２】
2011020015.tif 000004
【図３】
2011020015.tif 000005
【図４】
2011020015.tif 000006
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
汚泥が含有されてなる原水から、重力沈降により、汚泥の含有率が前記原水よりも少ない上澄水と汚泥の含有率が前記原水よりも多い汚泥濃縮水とを生成する固液分離領域を有する固液分離槽が備えられ、該固液分離槽の液面下には、前記固液分離領域に原水を分配供給するディストリビューターが設けられ、該ディストリビューターの上部には、供給された原水を該ディストリビューターに移送する移送槽が設けられ、該移送槽内に供給された原水が該移送槽内を流下しながら移送されるように構成されてなる固液分離装置であって、
原水が移送槽内を流下する際に、原水に巻き込まれた空気が抜ける抜け道が該移送槽の一部に生じるようにすべく、原水が遠心力および重力により前記移送槽の内周面に押しつけられながら該移送槽内を流下するように構成され、
前記移送槽の内周面に沿って、原水が旋回されながら前記移送槽内を流下するように構成され、
前記移送槽の内周面は、水平面に対して傾斜している傾斜面を有してなり、原水が重力により前記傾斜面に押しつけられながら前記移送槽内を流下するように構成されてなることを特徴とする固液分離装置。
【請求項２】
請求項１記載の固液分離装置を用いて、汚泥が含有されてなる原水を固液分離する固液分離方法。
【手続補正２】
【補正対象書類名】明細書
【補正対象項目名】００１０
【補正方法】変更
【補正の内容】
【００１０】
本発明は、汚泥が含有されてなる原水から、重力沈降により、汚泥の含有率が前記原水よりも少ない上澄水と汚泥の含有率が前記原水よりも多い汚泥濃縮水とを生成する固液分離領域を有する固液分離槽が備えられ、該固液分離槽の液面下には、前記固液分離領域に原水を分配供給するディストリビューターが設けられ、該ディストリビューターの上部には、供給された原水を該ディストリビューターに移送する移送槽が設けられ、該移送槽内に供給された原水が該移送槽内を流下しながら移送されるように構成されてなる固液分離装置であって、
原水が移送槽内を流下する際に、原水に巻き込まれた空気が抜ける抜け道が該移送槽の一部に生じるようにすべく、原水が遠心力および重力により前記移送槽の内周面に押しつけられながら該移送槽内を流下するように構成されてなることを特徴とする固液分離装置にある。
【手続補正３】
【補正対象書類名】明細書
【補正対象項目名】００１１
【補正方法】変更
【補正の内容】
【００１１】
また、本発明に係る固液分離装置においては、前記移送槽の内周面に沿って、原水が旋回されながら前記移送槽内を流下するように構成されてなる。
【手続補正４】
【補正対象書類名】明細書
【補正対象項目名】００１２
【補正方法】変更
【補正の内容】
【００１２】
さらに、本発明に係る固液分離装置においては、前記移送槽の内周面は、水平面に対して傾斜している傾斜面を有してなり、原水が重力により前記傾斜面に押しつけられながら前記移送槽内を流下するように構成されてなる。